(57)【要約】【課題】乗車駅や降車駅を利用者が能動的に入力することなく、乗換案内を利用者に提供可能とする。【解決手段】乗換案内提供装置は、交通機関の乗車に用いられる記憶媒体の識別情報ごとに、記憶媒体の利用者が過去に降車した降車駅を示す降車駅履歴を含む使用履歴を記憶する記憶部を備える。また、乗換案内提供装置は、駅に設置された記憶媒体読取端末に対して記憶媒体が使用されると、使用された記憶媒体の識別情報と、記憶媒体が使用された駅である使用駅を識別する駅情報とを記憶媒体読取端末から取得する。そして、乗換案内提供装置は、取得した識別情報を検索キーとして記憶部から使用履歴を取得し、使用履歴に含まれる降車駅履歴を用いて利用者が降車する降車駅を予測する。そして、乗換案内提供装置は、駅情報によって識別される使用駅から予測した降車駅までの乗換案内情報を、利用者によって利用される端末に提供する。【選択図】図１
2010237876.tif 000002
【特許請求の範囲】
【請求項１】
交通機関の乗車に用いられる記憶媒体の識別情報ごとに、当該記憶媒体の利用者が過去に降車した降車駅を示す降車駅履歴を含む使用履歴を記憶する記憶部と、
駅に設置された記憶媒体読取端末に対して前記記憶媒体が使用されると、使用された記憶媒体の識別情報と、記憶媒体が使用された駅である使用駅を識別する駅情報とを当該記憶媒体読取端末から取得する取得部と、
前記取得部によって取得された識別情報を検索キーとして前記記憶部から使用履歴を取得し、当該使用履歴に含まれる降車駅履歴を用いて利用者が降車する降車駅を予測する予測部と、
前記駅情報によって識別される使用駅から前記予測部によって予測された降車駅までの乗換案内情報を、前記利用者によって利用される端末に提供する提供部と
を備えたことを特徴とする乗換案内提供装置。
【請求項２】
前記記憶部は、利用者が降車駅から降車する前に購入した物品を識別する物品情報に対応付けて、降車駅履歴に含まれる降車駅を記憶し、
前記取得部は、記憶媒体読取端末に対して記憶媒体が使用されることで利用者によって物品が購入されると、識別情報と駅情報に加えて、利用者によって購入された物品を識別する物品情報をさらに取得し、
前記予測部は、降車駅履歴に含まれる降車駅の内、前記取得部によって取得された物品情報に対応付けられる降車駅を、利用者が降車する降車駅と予測することを特徴とする請求項１に記載の乗換案内提供装置。
【請求項３】
前記記憶部は、利用者が乗車した駅の改札口を識別する改札口情報に対応付けて、降車駅履歴に含まれる降車駅を記憶し、
前記取得部は、駅の改札口に設置された記憶媒体読取端末に対して記憶媒体が使用されると、識別情報と駅情報に加えて、当該記憶媒体読取端末が設置された改札口を識別する改札口情報をさらに取得し、
前記予測部は、降車駅履歴に含まれる降車駅の内、前記取得部によって取得された改札口情報に対応付けられる降車駅を、利用者が降車する降車駅と予測することを特徴とする請求項１または２に記載の乗換案内提供装置。
【請求項４】
前記記憶部は、利用者が降車駅から降車する前に記憶媒体が使用された使用駅を識別する駅情報に対応付けて、降車駅履歴に含まれる降車駅を記憶し、
前記取得部は、記憶媒体が使用されるごとに駅情報を取得し、
前記予測部は、降車駅履歴に含まれる降車駅の内、利用者が降車駅から降車する前に前記取得部によって取得された駅情報すべてに対応付けられる降車駅を、利用者が降車する降車駅と予測することを特徴とする請求項１〜３のいずれか一つに記載の乗換案内提供装置。
【請求項５】
識別情報ごとに、利用者によって予め設定された二つの駅によって特定される路線区間を記憶する区間記憶部をさらに備え、
前記提供部は、前記駅情報によって識別される使用駅から前記予測部によって予測された降車駅までの乗車区間が、前記区間記憶部に記憶された路線区間に含まれるかを判定し、含まれないと判定した場合にのみ乗換案内情報を提供することを特徴とする請求項１〜４のいずれか一つに記載の乗換案内提供装置。
【請求項６】
コンピュータにおいて用いられる乗換案内提供方法であって、
コンピュータが、駅に設置された記憶媒体読取端末に対して記憶媒体が使用されると、使用された記憶媒体の識別情報と、記憶媒体が使用された駅である使用駅を識別する駅情報とを当該記憶媒体読取端末から取得する取得ステップと、
コンピュータが、記憶媒体の識別情報ごとに、当該記憶媒体の利用者が過去に降車した降車駅を示す降車駅履歴を含む使用履歴を記憶する記憶部から、前記取得ステップによって取得された識別情報を検索キーとして使用履歴を取得し、当該使用履歴に含まれる降車駅履歴を用いて利用者が降車する降車駅を予測する予測ステップと、
コンピュータが、前記駅情報によって識別される使用駅から前記予測ステップによって予測された降車駅までの乗換案内情報を、利用者によって利用される端末に提供する提供ステップと
を有することを特徴とする乗換案内提供方法。
【請求項７】
駅に設置された記憶媒体読取端末に対して記憶媒体が使用されると、使用された記憶媒体の識別情報と、記憶媒体が使用された駅である使用駅を識別する駅情報とを当該記憶媒体読取端末から取得する取得手順と、
記憶媒体の識別情報ごとに、当該記憶媒体の利用者が過去に降車した降車駅を示す降車駅履歴を含む使用履歴を記憶する記憶部から、前記取得手順によって取得された識別情報を検索キーとして使用履歴を取得し、当該使用履歴に含まれる降車駅履歴を用いて利用者が降車する降車駅を予測する予測手順と、
前記駅情報によって識別される使用駅から前記予測手順によって予測された降車駅までの乗換案内情報を、利用者によって利用される端末に提供する提供手順と
をコンピュータに実行させることを特徴とする乗換案内提供プログラム。
【発明の詳細な説明】
【技術分野】
【０００１】
本発明は、乗換案内提供装置、乗換案内提供方法、乗換案内提供プログラムに関する。
【背景技術】
【０００２】
従来より、鉄道やバスなどの交通機関を利用して目的地に行くための乗換案内を提供する案内技術が知られている。例えば、案内技術を実行するサーバは、乗車駅と降車駅とが利用者によって入力されると、入力された乗車駅から降車駅までの乗換案内情報を利用者に提供する。
【０００３】
なお、近年、バスや鉄道などの交通機関を利用するための乗車券としてＩＣ（Integrated  Circuit）カードが用いられており、例えば、乗車券として用いられるＩＣカードに電子ペーパーを搭載し、サーバが、降車駅周辺にある施設に関する情報をＩＣカードに送信する技術が開示されている。また、その他、例えば、現在地に関する情報を電子メールで利用者に配信する技術や、車の運転者に対して目的地への行き方を提供する技術が知られている。
【先行技術文献】
【特許文献】
【０００４】
【特許文献１】特開２００７−３０４６６８号公報
【特許文献２】特開２００４−４５４１３号公報
【特許文献３】国際公開第２００２／０４１１８０号
【特許文献４】特開平１０−２４８４９号公報
【発明の概要】
【発明が解決しようとする課題】
【０００５】
しかしながら、上記した従来の案内技術では、乗車駅や降車駅を利用者が能動的に入力しなければならず、利用者に入力する手間がかかっていたという課題があった。例えば、案内技術を実行するサーバは、乗車駅や降車駅が利用者によって入力されなければ、乗換案内情報を提供できなかった。
【０００６】
開示の技術は、上記に鑑みてなされたものであって、乗車駅や降車駅を利用者が能動的に入力しなくても乗換案内情報を提供可能な乗換案内提供装置、乗換案内提供方法、乗換案内提供プログラムを提供することを目的とする。
【課題を解決するための手段】
【０００７】
本願の開示する乗換案内提供装置は、一つの態様において、交通機関の乗車に用いられる記憶媒体の識別情報ごとに、当該記憶媒体の利用者が過去に降車した降車駅を示す降車駅履歴を含む使用履歴を記憶する記憶部を備える。また、乗換案内提供装置は、駅に設置された記憶媒体読取端末に対して前記記憶媒体が使用されると、使用された記憶媒体の識別情報と、記憶媒体が使用された駅である使用駅を識別する駅情報とを当該記憶媒体読取端末から取得する取得部を備える。また、乗換案内提供装置は、前記取得部によって取得された識別情報を検索キーとして前記記憶部から使用履歴を取得し、当該使用履歴に含まれる降車駅履歴を用いて利用者が降車する降車駅を予測する予測部を備える。また、乗換案内提供装置は、前記駅情報によって識別される使用駅から前記予測部によって予測された降車駅までの乗換案内情報を、前記利用者によって利用される端末に提供する提供部を備える。
【発明の効果】
【０００８】
本願の開示する乗換案内提供装置の一つの態様によれば、乗車駅や降車駅を利用者が能動的に入力しなくても、乗換案内情報を利用者に提供可能であるという効果を奏する。
【図面の簡単な説明】
【０００９】
【図１】図１は、実施例１に係る乗換案内提供装置の概要を説明するための図である。
【図２】図２は、実施例１に係る乗換案内提供装置の構成を説明するためのブロック図である。
【図３】図３は、実施例１における使用履歴記憶部に記憶された情報の一例を説明するための図である。
【図４】図４は、実施例１における端末情報記憶部に記憶された情報の一例を説明するための図である。
【図５】図５は、実施例１における乗車駅履歴を用いて分類された使用履歴記憶部を説明するための図である。
【図６】図６は、実施例１における乗換案内提供装置による処理の流れを説明するためのフローチャートである。
【図７】図７は、実施例２における使用履歴記憶部に記憶された情報の一例を説明するための図である。
【図８】図８は、実施例２における購入履歴を用いて分類された使用履歴記憶部を説明するための図である
【図９】図９は、実施例３における使用履歴記憶部に記憶された情報の一例を説明するための図である。
【図１０】図１０は、実施例３における乗車駅履歴と改札口履歴との組み合わせを用いて分類された使用履歴記憶部を説明するための図である。
【図１１】図１１は、実施例４における使用履歴記憶部に記憶された情報の一例を説明するための図である。
【図１２】図１２は、実施例４における乗車駅履歴と使用駅履歴との組み合わせを用いて分類された使用履歴記憶部を説明するための図である。
【図１３】図１３は、実施例５に係る乗換案内提供装置の概要を説明するための図である。
【図１４】図１４は、実施例５に係る乗換案内提供装置による処理の流れを説明するためのフローチャートである。
【図１５】図１５は、実施例６に係る乗換案内提供装置の構成を説明するためのブロック図である。
【図１６】図１６は、実施例６に係る区間記憶部に記憶された情報の一例を説明するための図である。
【図１７】図１７は、実施例６に係る乗換案内提供装置による処理の流れを説明するためのフローチャートである。
【図１８】図１８は、実施例１に係る乗換案内提供プログラムを実行するコンピュータの一例について説明するための図である。
【発明を実施するための形態】
【００１０】
以下に、本願の開示する乗換案内提供装置、乗換案内提供方法、乗換案内提供プログラムの実施例を図面に基づいて詳細に説明する。なお、この実施例によりこの発明が限定されるものではない。
【実施例１】
【００１１】
［乗換案内提供装置の概要］
まず最初に、図１を用いて、実施例１に係る乗換案内提供装置の概要を説明する。図１は、実施例１に係る乗換案内提供装置の概要を説明するための図である。
【００１２】
図１に示すように、実施例１に係る乗換案内提供装置は、交通機関の乗車に用いられる記憶媒体の識別情報ごとに、記憶媒体の利用者が過去に降車した降車駅を示す降車駅履歴を含む使用履歴を記憶する記憶部を備える。例えば、記憶部は、識別情報「ｘ００１」に対応付けて、降車駅履歴「溜池山王駅」を記憶する。なお、記憶媒体とは、例えば、乗車券として用いられるＩＣカードや磁気カード、ＩＣカードを内蔵する電子機器などであり、例えば、図１に示す例では、Ｓｕｉｃａ（登録商標）やＰａｓｍｏ（登録商標）、ＩＣカードを内蔵する携帯電話などが該当する。
【００１３】
ここで、図１の（１）に示すように、駅に設置された記憶媒体読取端末に対して記憶媒体が使用され、例えば、利用者によって、駅の改札口に設けられたＩＣカードリーダに対して使用されたとする。すると、図１の（２）に示すように、実施例１に係る乗換案内提供装置では、取得部が、使用された記憶媒体の識別情報と、記憶媒体が使用された駅である使用駅を識別する駅情報とを記憶媒体読取端末から取得する。例えば、取得部は、駅の改札口に設けられたＩＣカードリーダから、使用されたＩＣカードの識別情報「ｘ００１」と、駅情報「中野駅」とを取得する。
【００１４】
そして、実施例１に係る乗換案内提供装置では、予測部が、取得部によって取得された識別情報を検索キーとして記憶部から使用履歴を取得し、使用履歴に含まれる降車駅履歴を用いて利用者が降車する降車駅を予測する。例えば、予測部は、識別情報「ｘ００１」を検索キーとして、降車駅履歴「溜池山王駅」を取得すると、「溜池山王駅」にて利用者が降車すると予測する。
【００１５】
そして、実施例１に係る乗換案内提供装置では、提供部が、使用駅から予測部によって予測された降車駅までの乗換案内情報を、利用者によって利用される端末に提供する。例えば、提供部は、「中野駅」から「溜池山王駅」までの乗換案内情報を、利用者が利用する携帯電話にメールで送信する。
【００１６】
このようなことから、実施例１に係る乗換案内提供装置は、乗車駅や降車駅を利用者が能動的に入力しなくても乗換案内情報を利用者に提供可能である。その結果、乗換案内を提供する際に、利用者が降車駅や乗車駅を入力する手間を無くすことが可能である。
【００１７】
［乗換案内提供装置の構成］
次に、図２を用いて、図１に示した乗換案内提供装置３００の構成について説明する。図２は、実施例１に係る乗換案内提供装置の構成を説明するためのブロック図である。また、図２では、乗換案内提供装置３００に加えて、利用者によって利用される利用者端末１００と、交通機関の乗車に用いられる記憶媒体を読み取る端末であるＩＣカード読取端末２００（記憶媒体読取端末とも称する）とを併せて示した。
【００１８】
利用者端末１００は、利用者によって使用される際にＩＣカード読取端末２００と一時的に接続され、また、ネットワーク４００を介して乗換案内提供装置３００と接続される。例えば、利用者端末１００は、物理的に接触することでＩＣカード読取端末２００と接続され、または、物理的に接触せず無線などを介してＩＣカード読取端末２００と接続される。また、例えば、利用者端末１００は、無線ネットワークに接続されており、乗換案内提供装置３００が無線ネットワークにアクセスすることで、無線ネットワークを介して乗換案内提供装置３００と接続される。
【００１９】
図２に示す例では、利用者端末１００は、ＩＣカード部１０１と表示部１０２とを備える。また、利用者端末１００は、利用者によって利用される端末であり、例えば、携帯電話やＰＨＳ（Personal  Handyphone  System）、ＰＤＡ（Personal  Digital  Assistant）などの移動端末などが該当する。
【００２０】
また、ＩＣカード部１０１（「記憶媒体」とも称する）は、他のＩＣカード部１０１から自ＩＣカード部１０１を識別する識別情報を予め記憶し、例えば、識別情報「ｘ００１」を記憶する。なお、ＩＣカード部１０１は、交通機関に乗車するための運賃や、ＩＣカード部１０１が駅の改札口に設置されたＩＣカード読取端末２００に対して使用された場合には、使用された駅を識別する駅情報なども記憶する。
【００２１】
また、ＩＣカード部１０１は、バスや鉄道などの交通機関の乗車に用いられ、例えば、バスや鉄道などの交通機関を利用者が利用する場合に、利用者によってＩＣカード読取端末２００に対して使用される。また、ＩＣカード部１０１は、ＩＣカード読取端末２００に対して使用されると、ＩＣカード読取端末２００と一時的と接続され、ＩＣカード読取端末２００によって識別情報が取得される。
【００２２】
表示部１０２は、ネットワーク４００を介して乗換案内提供装置３００と接続され、具体的には、後述する提供部３２３と接続される。また、例えば、表示部１０２は、利用者端末１００に備えられたディスプレイを備え、提供部３２３によって提供された乗換案内情報を利用者に表示する。
【００２３】
ＩＣカード読取端末２００は、利用者によってＩＣカード部１０１が使用される際に、ＩＣカード部１０１と一時的に接続され、また、ネットワーク４００を介して乗換案内提供装置３００と接続される。ＩＣカード読取端末２００は、駅に設置されたＩＣカードリーダであり、自ＩＣカード読取端末２００が設置された駅を識別する駅情報を予め記憶し、例えば、駅情報「中野駅」を記憶する。また、例えば、ＩＣカード読取端末２００は、駅の改札口に設置され、利用者が駅構内に乗入る場合や、駅構内から出る場合などに使用される。
【００２４】
また、ＩＣカード読取端末２００は、ＩＣカード部１０１と一時的に接続されると、接続されたＩＣカード部１０１の識別情報を読み取り、例えば、識別情報「ｘ００１」を読み取る。そして、ＩＣカード読取端末２００は、読み取った識別情報と、自ＩＣカード読取端末２００が設置された駅を識別する駅情報とを乗換案内提供装置３００に出力し、例えば、識別情報「ｘ００１」と駅情報「中野駅」とを出力する。
【００２５】
乗換案内提供装置３００は、ネットワーク４００を介してＩＣカード読取端末２００と表示部１０２と接続され、図２に示す例では、記憶部３１０と制御部３２０とを備える。また、記憶部３１０は、制御部３２０による各種の乗換案内提供処理に用いられるデータを記憶し、図２に示す例では、使用履歴記憶部３１１と端末情報記憶部３１２とを備える。
【００２６】
使用履歴記憶部３１１は、制御部３２０と接続され、具体的には、後述する取得部３２１と予測部３２２と接続される。図３に示すように、使用履歴記憶部３１１は、記憶媒体の識別情報ごとに、記憶媒体の利用者が過去に降車した降車駅を示す降車駅履歴を含む使用履歴を記憶する。なお、図３は、実施例１における使用履歴記憶部に記憶された情報の一例を説明するための図である。
【００２７】
具体的には、使用履歴記憶部３１１は、識別情報に対応付けて、ＩＣカード部１０１が使用された日時を示す「日時」と、使用履歴の種別を示す「履歴種別」と、使用履歴の内容を示す「履歴内容」との対応付けを記憶する。図３に示す例では、使用履歴記憶部３１１は、識別情報「ｘ００１」や「ｘ００２」ごとに使用履歴を記憶する。例えば、使用履歴記憶部３１１は、識別情報「ｘ００１」に対応付けて、日時「2009/10/10  12時」と履歴種別「降車駅履歴」と履歴内容「溜池山王駅」との対応付けを記憶する。
【００２８】
また、図３に示す例では、使用履歴記憶部３１１は、降車駅履歴に加えて、記憶媒体の利用者が過去に乗車した乗車駅を示す乗車駅履歴を併せて記憶する。例えば、識別情報「ｘ００１」に対応付けて、日時「2009/10/10  10時」と履歴種別「乗車駅履歴」と履歴内容「中野駅」との対応付けを記憶する。
【００２９】
また、使用履歴記憶部３１１は、利用者によってＩＣカード部１０１がＩＣカード読取端末２００に対して使用されるごとに、取得部３２１によって使用履歴が格納され、使用履歴を蓄積する。また、例えば、駅の改札口に設置されたＩＣカード読取端末２００に対してＩＣカード部１０１が使用され、利用者が駅構内に入ると、乗車駅履歴として使用履歴が蓄積される。また、駅の改札口に設置されたＩＣカード読取端末２００に対してＩＣカード部１０１が使用され、利用者が駅構内から出ると、降車駅履歴として使用履歴が蓄積される。
【００３０】
また、使用履歴記憶部３１１によって記憶された使用履歴は、予測部３２２による降車駅の予測に用いられる。
【００３１】
図２に戻ると、端末情報記憶部３１２は、制御部３２０と接続され、具体的には、後述する提供部３２３と接続される。また、図４に示すように、端末情報記憶部３１２は、識別情報ごとに、利用者端末１００を識別する端末情報を記憶する。なお、図４は、実施例１における端末情報記憶部に記憶された情報の一例を説明するための図である。
【００３２】
端末情報は、提供部３２３によって乗換案内情報が利用者端末１００に提供される際に用いられ、例えば、利用者端末１００を一意に識別するメールアドレスやＩＰ（Internet  Protocol）アドレスなどが該当する。図３に示す例では、端末情報記憶部３１２は、識別情報「ｘ００１」に対応付けて、端末情報「x001@mobilephone」を記憶する。また、端末情報記憶部３１２は、乗換案内提供装置３００の管理者や利用者によって、端末情報が予め入力される。
【００３３】
制御部３２０は、各種の乗換案内提供処理手順を規定したプログラムを記憶するための内部メモリを有し、種々の案内情報提供処理を実行する。また、制御部３２０は、図２に示す例では、取得部３２１と予測部３２２と提供部３２３とを備える。
【００３４】
取得部３２１は、ネットワーク４００を介してＩＣカード読取端末２００と接続され、また、使用履歴記憶部３１１と予測部３２２と接続される。また、取得部３２１は、ＩＣカード読取端末２００に対してＩＣカード部１０１が使用されると、使用されたＩＣカード部１０１の識別情報と、ＩＣカード部１０１が使用された駅である使用駅を識別する駅情報とをＩＣカード読取端末２００から取得する。例えば、取得部３２１は、ＩＣカード読取端末２００から、識別情報「ｘ００１」と駅情報「中野駅」とを取得する。
【００３５】
また、取得部３２１は、ＩＣカード読取端末２００から識別情報と駅情報とを取得するごとに、識別情報と駅情報とを予測部３２２に送信し、例えば、識別情報「ｘ００１」と駅情報「中野駅」とを予測部３２２に送信する。
【００３６】
また、取得部３２１は、ＩＣカード読取端末２００から識別情報と駅情報とを取得するごとに、識別情報と駅情報とを使用履歴記憶部３１１に格納する。
【００３７】
予測部３２２は、使用履歴記憶部３１１と取得部３２１と提供部３２３と接続され、また、識別情報と駅情報とを提供部３２３から受信し、例えば、識別情報「ｘ００１」と駅情報「中野駅」とを受信する。
【００３８】
また、予測部３２２は、取得部３２１によって取得された識別情報を検索キーとして使用履歴記憶部３１１から使用履歴を取得する。そして、予測部３２２は、使用履歴に含まれる降車駅履歴を用いて利用者が降車する降車駅を予測する。
【００３９】
例えば、予測部３２２は、利用者がＩＣカード部１０１を使用した使用駅にて乗車した場合に降車したことがある降車駅を、降車駅履歴に含まれる降車駅から乗車駅履歴を用いて識別し、識別した降車駅にて利用者が降車すると予測する。
【００４０】
図５を用いて、実施例１における予測部３２２による予測手法の一例についてさらに説明する。なお、図５は、実施例１における乗車駅履歴を用いて分類された使用履歴記憶部を説明するための図である。図５は、図３を用いて説明した使用履歴記憶部３１１に記憶された使用履歴を、乗車駅履歴を用いて分類されたものであり、図５に示すように、「乗車駅履歴」に含まれる乗車駅ごとに、利用者が降車した降車駅を対応付けられている。図５に示す例では、乗車駅履歴「中野駅」に降車駅履歴「溜池山王駅」が対応付けられており、「中野駅」から乗車した後に「溜池山王駅」にて降車したことを示している。
【００４１】
例えば、予測部３２２は、取得部３２１によって取得された識別情報を検索キーとして使用履歴記憶部３１１から使用履歴を取得すると、取得した使用履歴について乗車駅履歴を用いて分類する。そして、例えば、予測部３２２は、駅情報「中野駅」を受信した場合には、「中野駅」に乗車した後に降車したことがある降車駅を使用履歴記憶部３１１から識別し、図５に示す例では、「中野駅」に対応付けられる「溜池山王駅」を識別する。そして、予測部３２２は、利用者が「溜池山王駅」にて降車すると予測する。なお、使用履歴記憶部３１１は、予め分類された状態にて使用履歴を記憶してもよい。
【００４２】
また、予測部３２２は、取得部３２１から受信した識別情報と駅情報と、降車すると予測した降車駅を示す駅情報とを提供部３２３に送信する。例えば、予測部３２２は、取得部３２１からから受信した識別情報「ｘ００１」と駅情報「中野駅」と、予測結果となる駅情報「溜池山王駅」とを送信する。
【００４３】
提供部３２３は、ネットワーク４００を介して利用者端末１００の表示部１０２と接続され、また、端末情報記憶部３１２と予測部３２２と接続される。また、提供部３２３は、予測部３２２から識別情報と駅情報と予測結果となる駅情報とを受信し、例えば、識別情報「ｘ００１」と駅情報「中野駅」と、予測結果となる駅情報「溜池山王駅」とを受信する。
【００４４】
また、提供部３２３は、受信した識別情報に対応する端末情報を端末情報記憶部３１２から取得し、例えば、予測部３２２から受信した識別情報「ｘ００１」を検索キーとして、端末情報記憶部３１２から端末情報「x001@mobilephone」を取得する。
【００４５】
また、提供部３２３は、受信した駅情報によって識別される使用駅から予測部３２２によって予測された降車駅までの乗換案内情報を、利用者端末１００に提供する。例えば、提供部３２３は、駅情報「中野駅」と予測結果となる駅情報「溜池山王駅」とを予測部３２２から受信すると、「中野駅」から「溜池山王駅」までの乗換案内情報を利用者端末１００に提供する。具体的な例をあげて説明すると、提供部３２３は、「中野駅」から「溜池山王駅」までの乗換案内情報を、端末情報記憶部３１２から取得した端末情報「x001@mobilephone」を用いて、利用者端末１００に送信する。
【００４６】
なお、ここで、提供部３２３が乗換案内情報を取得する手法の一例について簡単に説明する。例えば、提供部３２３は、乗換案内情報を記憶する乗換案内記憶部を内部に備え、使用駅と予測部３２２によって予測された降車駅との組み合わせを検索キーとして検索することで、乗換案内情報を取得する。また、例えば、提供部３２３は、他の乗換案内情報を生成する案内情報システムにアクセスし、使用駅と予測部３２２によって予測された降車駅との組み合わせを案内情報システムに送信する。その後、提供部３２３は、案内情報システムから乗換案内情報を取得する。
【００４７】
［実施例１に係る乗換案内提供装置による処理］
次に、図６を用いて、実施例１における乗換案内提供装置３００による処理の流れを説明する。図６は、実施例１における乗換案内提供装置による処理の流れを説明するためのフローチャートである。
【００４８】
図６に示すように、ＩＣカードが使用されると（ステップＳ１０１肯定）、つまり、駅に設置されたＩＣカード読取端末２００に対してＩＣカード部１０１が使用されると、取得部３２１は、識別情報と駅情報とを取得する（ステップＳ１０２）。つまり、取得部３２１は、使用されたＩＣカード部１０１の識別情報と、ＩＣカード部１０１が使用された駅である使用駅を識別する駅情報とを取得し、例えば、識別情報「ｘ００１」と駅情報「中野駅」とを取得する。
【００４９】
そして、予測部３２２は、使用履歴を用いて降車駅を予測する（ステップＳ１０３）。つまり、予測部３２２は、取得部３２１によって取得された識別情報を検索キーとして、使用履歴記憶部３１１から使用履歴を取得し、使用履歴に含まれる降車駅履歴を用いて利用者が降車する降車駅を予測する。例えば、予測部３２２は、利用者がＩＣカード部１０１を使用した使用駅にて乗車した場合に降車したことがある降車駅を識別し、例えば、「溜池山王駅」を識別する。そして、予測部３２２は、識別した「溜池山王駅」で利用者が降車すると予測する。
【００５０】
そして、提供部３２３は、降車駅への乗換案内情報を提供する（ステップＳ１０４）。つまり、提供部３２３は、使用駅から予測部３２２によって予測された降車駅までの乗換案内情報を、利用者端末１００に提供し、例えば、「中野駅」から「溜池山王駅」までの乗換案内情報を利用者端末１００に送信する。
【００５１】
［実施例１の効果］
上記したように、実施例１によれば、乗換案内提供装置３００では、使用履歴記憶部３１１が、交通機関の乗車に用いられる識別情報ごとに降車駅履歴を含む使用履歴を記憶する。また、取得部３２１は、駅に設置されたＩＣカード読取端末２００に対してＩＣカード部１０１が使用されると、使用されたＩＣカード部１０１の識別情報と、ＩＣカード部１０１が使用された駅である使用駅を識別する駅情報とを取得する。そして、予測部３２２は、取得部３２１によって取得された識別情報を検索キーとして使用履歴記憶部３１１から使用履歴を取得し、使用履歴に含まれる降車駅履歴を用いて利用者が降車する降車駅を予測する。そして、提供部３２３は、使用駅から予測部によって予測された降車駅までの乗換案内情報を、利用者端末１００に提供する。このような実施例１に係る乗換案内提供装置３００によれば、乗車駅や降車駅を利用者が能動的に入力しなくても乗換案内を利用者に提供可能である。また、その結果、乗車駅や降車駅を入力する利用者の手間をなくすことが可能である。
【実施例２】
【００５２】
さて、これまで、実施例１では、予測部３２２が、乗車駅履歴を用いて降車駅を予測する手法について説明したが、本発明はこれに限定されるものではない。例えば、利用者が降車駅から降車する前に購入した物品の購入履歴を用いて、降車駅を予測してもよい。
【００５３】
実施例２におけるＩＣカード読取端末２００は、駅の売店にも設置され、ＩＣカード部１０１が、売店にて物品を購入する場合にも使用される。ここで、例えば、利用者は、競馬新聞を購入すると、その後、競馬場の最寄り駅となる「競馬場駅」に行くことが多い場合を例に説明する。この場合、使用履歴記憶部３１１は、競馬新聞を購入した購入履歴の後に、降車駅履歴「競馬場駅」を多く記憶することになる。このような場合に、実施例２に係る乗換案内提供装置３００は、駅の売店に設置されたＩＣカード読取端末２００に対して利用者のＩＣカード部１０１が使用され、競馬新聞が購入されると、「競馬場駅」が降車駅であると予測してもよい。
【００５４】
そこで、以下では、実施例２として、購入履歴を用いて降車駅を予測する手法について説明する。なお、以下では、実施例１に係る乗換案内提供装置３００と同様の点については、説明を省略する。
【００５５】
図７に示すように、実施例２における使用履歴記憶部３１１は、使用履歴として、利用者が降車駅から降車する前に購入した物品についての購入履歴を記憶する。なお、図７は、実施例２における使用履歴記憶部に記憶された情報の一例を説明するための図である。図７に示す例では、使用履歴記憶部３１１は、識別情報「ｘ００１」に対応付けて、日時「2009/10/13  9時50分」と履歴種別「購入履歴」と履歴内容「競馬新聞」との対応付けを記憶する。
【００５６】
ここで、図７に示す例では、使用履歴記憶部３１１は、日時「2009/11/5  9時50分」と履歴種別「乗車駅履歴」と履歴内容「新宿駅」との対応付けと、日時「2009/11/13  9時52分」と履歴種別「購入履歴」と履歴内容「競馬新聞」との対応付けとを記憶する。すなわち、使用履歴記憶部３１１は、日時「2009/11/5  9時50分」に乗車したという乗車駅履歴を記憶し、乗車後降車前となる日時「2009/11/13  9時52分」に、「競馬新聞」を購入したという購入履歴を記憶する。
【００５７】
また、図７に示す例では、使用履歴記憶部３１１は、日時「2009/10/13  9時50分」と履歴種別「購入履歴」と履歴内容「競馬新聞」との対応付けと、日時「2009/10/13  9時52分」と履歴種別「乗車駅履歴」と履歴内容「中野駅」との対応付けとを記憶する。すなわち、使用履歴記憶部３１１は、日時「2009/10/13  9時50分」に「競馬新聞」を購入したという購入履歴を記憶し、購入後降車前にとなる日時「2009/10/13  9時52分」に、乗車駅履歴を記憶する。
【００５８】
なお、図７に示す例では、購入履歴として、競馬新聞を購入したことを示す購入履歴のみが記載されているが、本発明はこれに限定されるものではなく、他の物品についての購入履歴も含まれる。
【００５９】
そして、実施例２における取得部３２１は、利用者による物品購入時にＩＣカード部１０１がＩＣカード読取端末２００に対して使用されると、識別情報と駅情報とに加えて、利用者によって購入された物品を識別する物品情報をさらに取得する。例えば、利用者によって競馬新聞が購入された場合には、取得部３２１は、識別情報と駅情報とに加えて、物品情報「競馬新聞」をさらに取得する。そして、識別情報と駅情報とに加えて、さらに、取得した物品情報「競馬新聞」を予測部３２２に送信する。
【００６０】
また、取得部３２１は、取得した物品情報について、購入履歴を使用履歴記憶部３１１に格納し、例えば、購入履歴「競馬新聞」を格納する。
【００６１】
そして、予測部３２２は、取得部３２１から物品情報をさらに受信すると、使用履歴に含まれる降車駅履歴に含まれる降車駅の内、取得部３２１によって取得された物品情報に対応付けられる降車駅を識別し、識別した降車駅にて利用者が降車すると予測する。
【００６２】
図８を用いて、実施例２における実施例２における予測部による予測手法についてさらに説明する。図８は、実施例２における購入履歴を用いて分類された使用履歴記憶部を説明するための図である。図８は、図７を用いて説明した使用履歴記憶部３１１に記憶された使用履歴を、購入履歴を用いて分類されたものであり、図８に示すように、「購入履歴」に含まれる購入物品ごとに、利用者が降車した降車駅が対応付けられている。図８に示す例では、購入履歴「競馬新聞」に降車駅履歴「競馬場駅」が対応付けられており、競馬新聞を購入した後に競馬新聞にて降車したことを示している。
【００６３】
例えば、予測部３２２は、物品情報「競馬新聞」を受信すると、「競馬新聞」を購入した後に降車したことがある降車駅を使用履歴記憶部３１１から識別し、図８に示す例では、「競馬場駅」を識別する。そして、予測部３２２は、利用者が「競馬場駅」にて降車すると予測する。
【００６４】
例えば、予測部３２２は、取得部３２１によって取得された識別情報を検索キーとして使用履歴記憶部３１１から使用履歴を取得すると、物品履歴を用いて分類する。そして、例えば、予測部３２２は、物品情報「競馬新聞」を受信した場合には、「競馬新聞」を購入した後に降車したことがある降車駅を使用履歴記憶部３１１から識別し、図５に示す例では、「競馬新聞」に対応付けられる「競馬場駅」を識別する。そして、予測部３２２は、利用者が「競馬新聞」にて降車すると予測する。
【００６５】
その後、例えば、提供部３２３は、「競馬場駅」までの乗換案内情報を利用者端末１００に提供する。
【００６６】
［実施例２の効果］
上記したように、実施例２によれば、使用履歴記憶部３１１は、利用者が降車駅から降車する前に購入した物品を識別する物品情報に対応付けて、降車駅履歴に含まれる降車駅を記憶する。また、取得部３２１は、ＩＣカード読取端末２００に対してＩＣカード部１０１が使用されることで利用者によって物品が購入されると、識別情報と駅情報に加えて、利用者によって購入された物品を識別する物品情報をさらに取得する。そして、予測部３２２は、使用履歴に含まれる降車駅履歴に含まれる降車駅の内、取得部３２１によって取得された物品情報に対応付けられる降車駅を識別し、識別した降車駅にて利用者が降車すると予測する。この結果、利用者の購入履歴に基づいて降車駅を予測することが可能である。
【００６７】
また、実施例２によれば、購入履歴に基づいて降車駅を予測し、乗換案内情報を利用者端末１００に提供できるので、個人個人の趣味や趣向を反映する購入履歴に基づいた予測が可能である。
【００６８】
また、例えば、乗車改札口の外にある店舗にてＩＣカード部１０１が使用された場合であっても乗換案内情報を提供でき、例えば、乗車改札口にて使用される前に、つまり駅構内に入る前であっても、乗換案内情報を提供可能である。その結果、例えば、利用者は、乗換案内情報に含まれる発車時刻を確認することで、乗車改札口から駅構内に入るタイミングを確認することが可能である。
【実施例３】
【００６９】
さて、これまで、実施例１〜２では、乗車駅履歴や購入履歴を用いて降車駅を予測する手法について説明したが、本発明はこれに限定されるものではなく、例えば、利用者が降車した改札口の履歴を示す改札口履歴をさらに用いて降車駅を予測してもよい。
【００７０】
例えば、駅には、複数の改札口が設けられ、複数ある路線を利用可能なものがあり、このような駅では、改札口ごとに、複数ある路線に対応する乗り場各々への距離や移動のしやすさが異なる。例えば、「中野駅」には、南口改札口と北口改札口とがあり、総武線と中央線という異なる路線が乗り入れている。また、南口改札口からは、中央線の乗り場と比較して総武線の乗り場に行きやすく、北口改札口からは、総武線の乗り場と比較して中央線の乗り場に行きやすい。
【００７１】
この結果、例えば、「中野駅」の北口改札口を利用する場合には、中央線を利用することが多くなる。また、例えば、「中野駅」の南口改札口を利用する場合には、総武線を利用することが多くなる。この結果、いずれの改札口を利用したかを併せて用いることで、高精度に降車駅を予測することが可能である。具体的には、実施例３に係る乗換案内提供装置３００は、「中野駅」の北口改札口に対してＩＣカード部１０１が使用されると、予測部３２２は、利用者が降車する降車駅として、「中野駅」の北口改札口から乗車した場合に降車したことがある降車駅を予測する。
【００７２】
そこで、以下では、実施例３として乗車駅履歴や購入履歴に加えて、改札口履歴をさらに用いて降車駅を予測する手法について説明する。なお、以下では、実施例１や２に係る乗換案内提供装置３００と同様の点については、説明を省略する。なお、以下では、乗車駅履歴と改札口履歴とを併せて用いて予測する手法について説明する。
【００７３】
図９に示すように、実施例３における使用履歴記憶部３１１は、使用履歴として、利用者が乗車した駅の改札口を識別する改札口履歴を記憶する。なお、図９は、実施例３における使用履歴記憶部に記憶された情報の一例を説明するための図である。図９に示す例では、使用履歴記憶部３１１は、識別情報「ｘ００１」に対応付けて、日時「2009/10/10  10時」と履歴種別「乗車駅履歴」と履歴内容「中野駅」に加えて、さらに、改札口情報「北口」を記憶する。
【００７４】
なお、改札口に設置されたＩＣカード読取端末２００各々は、自ＩＣカード読取端末２００が設置された改札口を識別する改札口情報を予め記憶する。また、使用履歴記憶部３１１は、駅の乗車改札口に設置されたＩＣカード読取端末２００に対してＩＣカード部１０１が使用されるごとに、制御部３２０によって改札口情報が格納されて蓄積する。
【００７５】
そして、実施例３における取得部３２１は、駅の改札口に設置されたＩＣカード読取端末２００に対してＩＣカード部１０１が使用されると、識別情報と駅情報とに加えて、改札口情報をさらに取得する。例えば、「中野駅」の北口改札口に設けられたＩＣカード読取端末２００に対してＩＣカード部１０１が使用されると、取得部３２１は、改札口情報「北口」をさらに取得する。そして、取得した改札口情報「北口」を予測部３２２に送信する。
【００７６】
また、取得部３２１は、取得した改札口情報について、改札口履歴として使用履歴記憶部３１１に格納する。
【００７７】
そして、実施例３における予測部３２２は、取得部３２１から改札口情報をさらに受信し、例えば、改札口情報「北口」を受信する。そして、予測部３２２は、使用履歴に含まれる降車駅履歴に含まれる降車駅の内、取得部３２１によって取得された改札口情報に対応付けられる降車駅を識別し、識別した降車駅にて利用者が降車すると予測する。
【００７８】
図１０を用いて、実施例３における予測部３２２による予測手法について説明する。図１０は、実施例３における乗車駅履歴と改札口履歴との組み合わせを用いて分類された使用履歴記憶部を説明するための図である。図１０は、図９を用いて説明した使用履歴記憶部３１１に記憶された使用履歴を、乗車駅履歴と改札口情報との組み合わせを用いて分類されたものであり、図１０に示すように、乗車駅履歴と改札口履歴との組み合わせごとに、利用者が降車した降車駅が対応付けられている。
【００７９】
図１０に示す例では、乗車駅履歴「中野駅」と改札口履歴「北口」の組み合わせに、降車駅履歴「溜池山王駅」が対応付けられている。また、乗車駅履歴「中野駅」と改札口情報「南口」との組み合わせに、降車駅履歴「大久保駅」が対応付けられている。つまり、「中野駅」から乗車した場合に、改札口「北口」から乗車した場合には、その後「溜池山王駅」にて降車したことを示し、改札口「南口」から乗車した場合には、その後「大久保駅」にて降車したことを示している。
【００８０】
例えば、予測部３２２は、取得部３２１によって取得された識別情報を検索キーとして使用履歴記憶部３１１から使用履歴を取得すると、乗車駅履歴と改札口履歴との組み合わせを用いて分類する。そして、例えば、予測部３２２は、駅情報「中野駅」を受信し、さらに、改札口情報「北口」を受信した場合には、「中野駅」の「北口」から乗車した後に降車したことがある降車駅を使用履歴記憶部３１１から識別する。図５に示す例では、予測部３２２は、「中野駅」と「北口」との組み合わせに対応付けられる「溜池山王駅」を識別する。そして、予測部３２２は、利用者が「溜池山王駅」にて降車すると予測する。また、改札口情報「南口」を受信すると、「中野駅」と「南口」との組み合わせに対応付けられる「大久保駅」を識別し、利用者が「大久保駅」にて降車すると予測する。
【００８１】
例えば、予測部３２２は、「中野駅」にて乗車した場合であっても、改札口情報「北口」を受信した場合には、利用者が「溜池山王駅」にて降車すると予測し、一方、改札口情報「南口」を受信すると、利用者が「大久保駅」にて降車すると予測する。
【００８２】
［実施例３の効果］
上記したように、実施例３によれば、使用履歴記憶部３１１は、利用者が乗車した駅の改札口を識別する改札口情報に対応付けて、降車駅履歴に含まれる降車駅を記憶する。また、取得部３２１は、駅の改札口に設置されたＩＣカード読取端末２００に対してＩＣカード部１０１が使用されると、識別情報と駅情報に加えて、ＩＣカード読取端末２００が設置された改札口を識別する改札口情報をさらに取得する。また、予測部３２２は、使用履歴に含まれる降車駅履歴に含まれる降車駅の内、取得部３２１によって取得された改札口情報に対応付けられる降車駅を識別し、識別した降車駅にて利用者が降車すると予測する。この結果、改札口を用いることで実施例１と比較して高精度に降車駅を予測することが可能である。
【実施例４】
【００８３】
さて、これまで、実施例１〜３では、ＩＣカード部１０１が使用された駅情報を一つ用いて降車駅を予測する手法について説明したが、本発明はこれに限定されるものではなく、例えば、駅情報を複数用いて降車駅を予測してもよい。
【００８４】
例えば、利用者が、乗車駅から降車駅への途中にある駅にてＩＣカード部１０１を使用した場合に、利用者が乗車した駅を示す駅情報に加えて、降車前に利用者がＩＣカード部１０１を使用した駅を示す駅情報を用いて降車駅を予測してもよい。
【００８５】
そこで、以下では、実施例４として、駅情報を複数用いて降車駅を予測する手法について説明する。なお、以下では、実施例１〜３に係る乗換案内提供装置３００と同様の点については、説明を省略する。
【００８６】
図１１に示すように、実施例４における使用履歴記憶部３１１は、使用履歴として、乗車駅履歴や降車駅履歴に加えて、乗車後降車前にＩＣカード部１０１が使用された駅を示す使用駅履歴を記憶する。なお、図１１は、実施例４における使用履歴記憶部に記憶された情報の一例を説明するための図である。図１１に示す例では、使用履歴記憶部３１１は、識別情報「ｘ００１」に対応付けて、日時「2009/10/10  10時30分」と履歴種別「使用駅履歴」と履歴内容「新宿駅」を記憶する。すなわち、図１１に示す例では、「2009/10/10  10時」に「中野駅」にて乗車した後、「2009/10/10  12時」に「溜池山王駅」から降車する前に、日時「2009/10/10  10時30分」に「新宿駅」にてＩＣカード部１０１を使用したことを示す。
【００８７】
そして、実施例４における取得部３２１は、駅に設置されたＩＣカード読取端末２００に対してＩＣカード部１０１が使用されるごとに、識別情報と駅情報とを取得して、予測部３２２に送信する。
【００８８】
また、例えば、取得部３２１は、駅に設置されたＩＣカード読取端末２００から識別情報と駅情報とを取得するごとに、乗車駅履歴や降車駅履歴として使用履歴記憶部３１１に格納し、駅の売店に設置されたＩＣカード読取端末２００から識別情報と駅情報とを取得するごとに、使用駅履歴として使用履歴記憶部３１１に格納する。
【００８９】
そして、実施例４における予測部３２２は、降車駅履歴に含まれる降車駅の内、利用者が降車駅から降車する前に取得部によって取得された駅情報すべてに対応付けられる降車駅を識別し、識別した降車駅にて利用者が降車すると予測する。
【００９０】
図１２を用いて、実施例４における予測部による予測手法について説明する。図１２は、実施例３における乗車駅履歴と使用駅履歴との組み合わせを用いて分類された使用履歴記憶部を説明するための図である。図１２は、図１１を用いて説明した使用履歴記憶部３１１に記憶された使用履歴を、乗車駅履歴と使用駅履歴との組み合わせを用いて分類されたものであり、図１２に示すように、乗車駅履歴と使用駅履歴との組み合わせごとに、利用者が降車した降車駅が対応付けられている。
【００９１】
なお、駅構内の売店に設置されたＩＣカード読取端末２００各々は、自ＩＣカード読取端末２００が設置された駅を識別する駅情報を予め記憶する。また、使用履歴記憶部３１１は、駅構内の売店に設置されたＩＣカード読取端末２００に対してＩＣカード部１０１が使用されるごとに、駅情報を取得して使用駅履歴として蓄積する。
【００９２】
図１２に示す例では、乗車駅履歴「中野駅」と使用駅履歴「新宿駅」との組み合わせに、降車駅履歴「溜池山王駅」が対応付けられ、また、乗車駅履歴「中野駅」と使用駅履歴「三鷹駅」に、降車駅履歴「高尾駅」が対応付けられている。つまり、「中野駅」に乗車した場合であっても、その後、新宿駅にてＩＣカード部１０１が使用された場合には、「溜池山王駅」にて降車したことを示している。また、「中野駅」に乗車した場合であっても、その後、三鷹駅にてＩＣカード部１０１が使用された場合には、「高尾駅」にて降車したことを示している。
【００９３】
例えば、予測部３２２は、「中野駅」に乗車した場合であっても、その後、駅情報「新宿駅」を降車前に受信した場合には、乗車駅履歴「中野駅」と使用駅「新宿駅」とに対応する降車駅を識別し、図１２に示す例では、「溜池山王駅」を識別する。そして、予測部３２２は、利用者が「溜池山王駅」で降車すると予測する。一方、予測部３２２は、「中野駅」に乗車した場合であっても、その後、駅情報「三鷹駅」を受信すると、乗車駅履歴「中野駅」と使用駅「三鷹駅」とに対応する降車駅を識別し、図１２に示す例では、「高尾駅」を識別する。そして、予測部３２２は、利用者が「高尾駅」で降車すると予測する。
【００９４】
また、予測部３２２は、駅情報を取得するごとに降車駅を予測し、「中野駅」に乗車した場合に降車駅を予測し、また、その後、駅情報「三鷹駅」を取得すると降車駅を予測する。
【００９５】
［実施例４の効果］
上記したように、実施例４によれば、使用履歴記憶部３１１は、利用者が降車駅から降車する前にＩＣカード部１０１が使用された使用駅を識別する駅情報に対応付けて、降車駅履歴に含まれる降車駅を記憶する。また、取得部３２１は、ＩＣカード部１０１が使用されるごとに駅情報を取得し、予測部３２２が、降車駅履歴に含まれる降車駅の内、利用者が降車駅から降車する前に取得部３２１によって取得された駅情報すべてに対応付けられる降車駅を識別し、識別した降車駅にて利用者が降車すると予測する。この結果、例えば、乗車後降車前にＩＣカード部１０１が使用された場合に、ＩＣカード部１０１が使用された駅も併せて用いて降車駅を予測でき、高精度な降車駅の予測を実現することが可能である。
【実施例５】
【００９６】
さて、これまで、実施例１〜４として、乗車駅とは異なる駅に降車すると予測する手法について説明したが、本発明はこれに限定されるものではない。例えば、利用者が一度通過したルートをバックした場合には、乗車駅にて降車すると予測してもよい。
【００９７】
そこで、以下では、実施例５として、利用者が一度通過したルートをバックした場合に、乗車駅への乗換案内情報を利用者端末１００に提供する手法について説明する。
【００９８】
図１３を用いて、実施例５に係る乗換案内情報３００の概要について説明する。図１３は、実施例５に係る乗換案内提供装置の概要を説明するための図である。図１３の（１）に示すように、利用者が図１３の「乗車駅」から乗車したものとする。すると、図１３の（２）に示すように、実施例５に係る乗換案内提供装置３００は、利用者が降車する降車駅を予測し、予測した降車駅への乗換案内情報を利用者端末１００に提供する。例えば、乗換案内提供装置３００は、「Ａ駅」への乗換案内情報を提供する。例えば、図１３に示す例では、「路線Ａ」を用いて「乗換駅」まで行き、その後、「路線Ｂ」に乗り換えて「Ａ駅」にまで行くための乗換案内情報を提供する。
【００９９】
その後、図１３の（３）に示すように、乗換案内提供装置３００が、降車前に、駅情報「Ｂ駅」を取得し、続いて、図１３の（４）に示すように、駅情報「Ｃ駅」を取得した場合について説明する。
【０１００】
実施例５における予測部３２２は、取得部３２１によって使用駅履歴を取得すると、バックしたかを判定する。具体的には、予測部３２２は、取得した使用駅履歴が、既に通過したルート上にある駅を示す駅情報かを判定する。ここで、図１３の（３）に示すように、駅情報「Ｂ駅」を取得した場合には、乗換案内提供装置３００は、「Ｂ駅」は既に通過したルート上にはないため、バックしていないと判定する。そして、予測部３２２は、バックしていないと判定されると、例えば、実施例１〜４にて説明したように、使用履歴を用いて降車駅を再度予測し、提供部３２３が乗換案内情報を提供する。
【０１０１】
一方、図１３の（４）に示すように、予測部３２２は、駅情報「Ｂ」を取得した後に駅情報「Ｃ駅」を取得した場合には、バックしたと判定する。まず、駅情報「Ｂ」を取得したということは、乗車駅からＣ駅を通過した後に到着する「Ｂ駅」にて、利用者によってＩＣカード部１０１が使用されたということであり、利用者が一度「Ｃ駅」を通過したことを示す。そして、その後、駅情報「Ｃ」を取得した後に駅情報「Ｃ駅」を取得したということは、一度「Ｃ駅」を通過した後に、「Ｃ駅」にて利用者がいることになり、利用者が一度通過したルート上をバックしたことを示すことになる。
【０１０２】
そして、実施例５における提供部３２３は、予測部３２２によってバックしたと判定されると、乗車駅への乗換案内情報を利用者端末１００に提供する。例えば、図１３に示す例では、提供部３２３は、「Ｃ駅」から「乗車駅」までの乗換案内情報を利用者端末１００に提供する。
【０１０３】
［実施例５に係る乗換案内提供装置による処理］
次に、図１４を用いて、実施例５における乗換案内提供装置３００による処理の流れを説明する。図１４は、実施例５に係る乗換案内提供装置による処理の流れを説明するためのフローチャートである。
【０１０４】
図１４に示すように、利用者によってＩＣカード部１０１が使用されると（ステップＳ２０１肯定）、取得部３２１が、識別情報と駅情報とを取得する（ステップＳ２０２）。そして、予測部３２２は、バックしたかを判定する（ステップＳ２０３）。つまり、予測部３２２は、既に通過したルート上にある駅を示す駅情報かを判定する。
【０１０５】
ここで、予測部３２２は、バックしていないと判定すると（ステップＳ２０３否定）、使用履歴を用いて降車駅を予測し（ステップＳ２０４）、提供部３２３が、降車駅への乗換案内情報を利用者端末１００に提供する（ステップＳ２０５）。
【０１０６】
一方、予測部３２２は、バックしたと判定すると（ステップＳ２０３肯定）、提供部３２３が、乗車駅への乗換案内情報を利用者端末１００に提供する（ステップＳ２０６）。
【実施例６】
【０１０７】
さて、これまで、実施例１〜５では、予測部３２２によって降車駅が予測されると、乗換案内情報を提供する場合について説明したが、本発明はこれに限定されるものではなく提供しなくても良い。例えば、使用駅から予測部３２２によって予測された降車駅への路線区間が、利用者によって予め設定された路線区間に含まれる場合には、乗換案内情報を提供しなくてもよい。
【０１０８】
例えば、利用者が毎日使用している路線区間があり、乗換案内情報の提供が不要である場合がある。このような場合には、予め路線区間を設定することで、乗換案内情報の提供が無くなるよう設定してもよい。そこで、実施例６では、利用者によって予め設定された路線区間に含まれる場合には、乗換案内情報を提供しない手法について説明する。
【０１０９】
図１５を用いて、実施例６に係る乗換案内情報を提供しない路線区間の設定を受け付ける乗換案内提供装置３００について説明する。図１５は、実施例６に係る乗換案内提供装置の構成を説明するためのブロック図である。
【０１１０】
図１５に示すように、実施例６に係る乗換案内提供装置３００は、図２に示した構成に加えて、区間記憶部３１３をさらに備える。区間記憶部３１３は、提供部３２３と接続され、図１６に示すように、識別情報ごとに、利用者によって予め設定された二つの駅によって特定される路線区間を記憶する。
【０１１１】
図１６に示す例では、識別情報「ｘ００１」に対応付けて、路線区間「中野駅〜大久保駅」を記憶する。なお、図１６は、実施例６における区間記憶部に記憶された情報の一例を説明するための図である。図１６に示す例では、識別番号ごとに一つの路線区間を記憶する場合を示したが、本発明はこれに限定されるものではなく、複数の路線区間を記憶してもよい。
【０１１２】
そして、実施例６における提供部３２３は、使用駅から予測部３２２によって予測された降車駅までの乗車区間が、区間記憶部３２３に記憶された路線区間に含まれるかを判定し、含まれないと判定した場合にのみ乗換案内情報を提供することを特徴とする。
【０１１３】
例えば、提供部３２３は、使用駅が「中野駅」であり、予測部３２２によって予測された降車駅が「大久保駅」である場合には、区間記憶部３２３に記憶された路線区間に含まれると判定し、乗換案内情報を提供しない。一方、提供部３２３は、使用駅が「中野駅」であり、予測部３２２によって予測された降車駅が「溜池山王駅」である場合には、区間記憶部３２３に記憶された路線区間に含まれないと判定し、乗換案内情報を提供する。
【０１１４】
［実施例６に係る乗換案内提供装置の処理］
次に、図１７を用いて、実施例６における乗換案内提供装置３００による処理の流れを説明する。図１７は、実施例６に係る乗換案内提供装置による処理の流れを説明するためのフローチャートである。
【０１１５】
図１７に示すように、ＩＣカードが使用されると、取得部３２１が識別情報と駅情報とを取得し、予測部３２２が降車駅を予測すると（ステップＳ３０１肯定〜ステップＳ３０３）、提供部３２３は、区間記憶部３１３に記憶された路線区間に含まれるかを判定する（ステップＳ３０４）。
【０１１６】
ここで、提供部３２３は、区間内に含まれると判定すると（ステップＳ３０４肯定）、乗換案内情報を提供せずに処理を終了する。一方、提供部３２３は、区間内に含まれないと判定すると（ステップＳ３０４否定）、降車駅への乗換案内情報を提供する（ステップＳ３０５）。
【０１１７】
［実施例６の効果］
上記したように、実施例６によれば、乗換案内提供装置３００は、識別情報ごとに、利用者によって予め設定された二つの駅によって特定される路線区間を記憶する区間記憶部３２３を備える。また、提供部３２３は、使用駅から予測部３２２によって予測された場駅までの乗車区間が、区間記憶部３１３に記憶された路線区間に含まれるかを判定し、含まれないと判定した場合にのみ乗換案内情報を提供する。この結果、乗換案内提供装置３００の利用者が不要とする乗換案内情報の提供を防止することが可能である。
【実施例７】
【０１１８】
さて、これまで本発明の実施例について説明したが、本発明は上述した実施例以外にも、その他の実施例にて実施されてもよい。そこで、以下では、その他の実施例について説明する。
【０１１９】
［降車駅の予測］
例えば、実施例１では、乗車駅履歴を用いて降車駅を予測する場合について説明したが、本発明はこれに限定されるものではない。例えば、予測部３２２は、降車駅履歴に含まれる降車駅の内、最も多く記憶されている降車駅を識別し、識別した降車駅に利用者が降車すると予測してもよい。
【０１２０】
また、例えば、実施例１〜５では、予測部３２２が降車駅を一つ予測する場合について説明したが、本発明はこれに限定されるものではない。具体的には、予測部３２２が降車駅を複数予測し、提供部３２３が複数予測された降車駅それぞれについての乗換案内情報をそれぞれ提供してもよい。
【０１２１】
また、例えば、上記した実施例では、乗車駅履歴を用いて予測する手法Ａや、購入履歴を用いて予測する手法Ｂや、乗車駅履歴と改札口情報とを組み合わせて予測する手法Ｃや、駅情報を複数用いて予測する手法Ｄについて説明した。また、乗換案内情報を提供しない区間を受け付ける手法Ｅなどについて説明した。しかし、本発明はこれに限定されるものではなく、手法ＡからＥの内すべてまたは一部のみを組み合わせて、降車駅を予測してよい。
【０１２２】
［システム構成］
この他、上記文書中や図面中で示した処理手順、制御手順、具体的名称、各種のデータやパラメータを含む情報（例えば、図１〜図１７）については、特記する場合を除いて任意に変更することができる。
【０１２３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示す例を用いて説明すると、利用者端末１００は、ＩＣカード部１０１と表示部１０２とを分散して構成してもよく、また、ＩＣカード読取端末２００と乗換案内提供装置３００とを統合して構成しても良い。
【０１２４】
［コンピュータ］
また、上記の実施例で説明した各種の処理は、あらかじめ用意されたプログラムをパーソナルコンピュータやワークステーションなどのコンピュータで実行することによって実現することができる。そこで、以下では、図１８を用いて、上記の実施例と同様の機能を有する乗換案内提供プログラムを実行するコンピュータの一例を説明する。なお、図１８は、実施例１に係る乗換案内提供プログラムを実行するコンピュータの一例について説明するための図である。
【０１２５】
図１８に示すように、実施例１におけるサーバ３０００は、通信部３００６、ＣＰＵ（Central  Processing  Unit）３０１０、ＲＯＭ（Read  Only  Memory）３０１１、ＨＤＤ（Hard  Disk  Drive）３０１２、ＲＡＭ（Random  Access  Memory）３０１３をバス３００９などで接続して構成されている。
【０１２６】
ＲＯＭ３０１１には、上記の実施例１で示した取得部３２１と、予測部３２２と、提供部３２３と同様の機能を発揮する制御プログラム、つまり、図１８に示すように、取得プログラム３０１１ａと、予測プログラム３０１１ｂと、提供プログラム３０１１ｃとが予め記憶されている。なお、これらのプログラム３０１１ａ〜３０１１ｃについては、図２に示した乗換案内提供装置の各構成要素と同様、適宜統合または分離してもよい。
【０１２７】
そして、ＣＰＵ３０１０が、これらのプログラム３０１１ａ〜３０１１ｃをＲＯＭ３０１１から読み出して実行することにより、図１８に示すように、各プログラム３０１１ａ〜３０１１ｃについては、取得プロセス３０１０ａと、予測プロセス３０１０ｂと、提供プロセス３０１０ｃとして機能するようになる。なお、各プロセス３０１０ａ〜３０１０ｃは、図２に示した、取得部３２１と、予測部３２２と、提供部３２３とにそれぞれ対応する。
【０１２８】
そして、ＨＤＤ３０１２には、使用履歴テーブル３０１２ａと、端末情報テーブル３０１２ｂとが設けられている。なお、各テーブル３０１２ａ〜３０１２ｂは、図２に示した使用履歴記憶部３１１と、端末情報記憶部３１２とにそれぞれ対応する。
【０１２９】
そして、ＣＰＵ３０１０は、使用履歴テーブル３０１２ａと、端末情報テーブル３０１２ｂとを読み出してＲＡＭ３０１３に格納し、ＲＡＭ３０１３に格納された使用履歴データ３０１３ａと、端末情報データ３０１３ｂと、駅データ３０１３ｃと、識別データ３０１３ｄとを用いて、乗換案内提供プログラムを実行する。
【０１３０】
［その他］
なお、本実施例で説明した乗換案内提供プログラムは、インターネットなどのネットワークを介して配布することができる。また、乗換案内提供プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【０１３１】
１００  利用者端末
１０１  ＩＣカード部
１０２  表示部
２００  ＩＣカード読取端末
３００  乗換案内提供装置
３１０  記憶部
３１１  使用履歴記憶部
３１２  端末情報記憶部
３１３  区間記憶部
３２０  制御部
３２１  取得部
３２２  予測部
３２３  提供部
４００  ネットワーク
【図１】
2010237876.tif 000003
【図２】
2010237876.tif 000004
【図３】
2010237876.tif 000005
【図４】
2010237876.tif 000006
【図５】
2010237876.tif 000007
【図６】
2010237876.tif 000008
【図７】
2010237876.tif 000009
【図８】
2010237876.tif 000010
【図９】
2010237876.tif 000011
【図１０】
2010237876.tif 000012
【図１１】
2010237876.tif 000013
【図１２】
2010237876.tif 000014
【図１３】
2010237876.tif 000015
【図１４】
2010237876.tif 000016
【図１５】
2010237876.tif 000017
【図１６】
2010237876.tif 000018
【図１７】
2010237876.tif 000019
【図１８】
2010237876.tif 000020